(57)【要約】      （修正有）【課題】ＦＦＲ結果の時間変化に関する表示におけるユーザの読影効率の向上。【解決手段】医用画像診断装置は、冠動脈に関する時系列を構成する複数のＦＦＲ分布図のデータと、時系列に対応する複数の形態画像のデータとを記憶する記憶部１２と、複数のＦＦＲ分布図をそれぞれ対応する複数のカラーマップに変換するカラーマップ変換部１４と、複数のカラーマップと、複数のカラーマップとそれぞれ時相が対応する複数の形態画像とを重ねた複数の重畳画像を表示する表示部２０と、を具備し、表示部２０は、複数のＦＦＲ分布図または複数の形態画像に基づいて、複数のカラーマップの表示対象を制限すること、を特徴とする。【選択図】図１
2018140175.tif 000002
【特許請求の範囲】
【請求項１】
冠動脈に関する所定時相のＦＦＲ分布図のデータと、前記時相に対応する前記冠動脈に関する形態画像のデータとを記憶する記憶部と、
前記ＦＦＲ分布図をカラーマップに変換するカラーマップ変換部と、
前記形態画像に含まれる血管内径に基づいて、前記カラーマップを表示する範囲を設定する表示範囲設定部と、
前記範囲を表示対象としたカラーマップと、前記形態画像とを重ねた重畳画像を表示する表示部と
を具備する医用画像診断装置。
【発明の詳細な説明】
【技術分野】
【０００１】
本発明の実施形態は、医用画像診断装置に関する。
【背景技術】
【０００２】
近年、ＣＴ（Ｃｏｍｐｕｔｅｄ  Ｔｏｍｏｇｒａｐｈｙ：コンピュータ断層撮影）装置を用いたＦＦＲ（Ｆｕｎｃｔｉｏｎａｌ  Ｆｌｏｗ  Ｒｅｓｅｒｖｅ：心筋部分血流予備量）の解析技術が開発されている。この技術は、ＣＴ装置により収集された冠動脈に関するＣＴボリュームデータから、冠動脈形状モデルを作成し、血流をシミュレートすることで、冠動脈内の圧力値を算出する技術である。冠動脈内の圧力値に基づいて、ＦＦＲ等の血管狭窄治療に有用な情報を非侵襲で得ることができる。現在、ＦＦＲの解析技術は、冠動脈の心拍動を考慮したＦＦＲ結果の時間変化への適用が可能となっている。
【０００３】
しかしながら、短い時間間隔で心臓は動いているため、冠動脈のＦＦＲ結果の時間変化に関する表示は、ＦＦＲ値がめまぐるしく変化する。そのため、本当に注目すべきＦＦＲ値及びその位置を見逃してしまう可能性がある。
【発明の概要】
【発明が解決しようとする課題】
【０００４】
目的は、ＦＦＲ結果の時間変化に関する表示において、ユーザの読影効率を向上した医用画像診断装置を提供することにある。
【課題を解決するための手段】
【０００５】
本実施形態による医用画像診断装置は、冠動脈に関する時系列を構成する複数のＦＦＲ分布図のデータと、前記時系列に対応する複数の形態画像のデータとを記憶する記憶部と、前記複数のＦＦＲ分布図をそれぞれ対応する複数のカラーマップに変換するカラーマップ変換部と、前記複数のカラーマップと、前記複数のカラーマップとそれぞれ時相が対応する複数の形態画像とを重ねた複数の重畳画像を表示する表示部と、を具備し、前記表示部は、前記複数のＦＦＲ分布図または前記複数の形態画像に基づいて、前記複数のカラーマップの表示対象を制限することを特徴とする。
【図面の簡単な説明】
【０００６】
【図１】図１は、本実施形態に係る医用画像診断装置の構成の一例を示すブロック図である。
【図２】図２は、本実施形態に係る医用画像診断装置１の特定期間表示モードにおける処理手順を示したフローチャートである。
【図３】図３は、本実施形態に係る医用画像診断装置の間引き表示モードにおける処理手順を示したフローチャートである。
【図４】図４は、本実施形態に係る医用画像診断装置の局所表示モードにおける処理手順を示したフローチャートである。
【図５】図５は、心筋パフュージョン画像に対して形態画像とカラーマップとを重ねた重畳画像の表示の一例を示した図である。
【図６】図６は、ポーラーマップに対して形態画像とカラーマップとを重ねた重畳画像の表示の一例を示した図である。
【図７】図７は、本実施形態に係る医用画像診断装置の血管表示モードにおける処理手順を示したフローチャートである。
【図８】図８は、血管表示モードにおける３次元グラフの一例を示した図である。
【図９】図９は、本実施形態に係る医用画像診断装置のＦＦＲ値限定モードにおける処理手順を示したフローチャートである。
【図１０】図１０は、本実施形態の変形例に係る医用画像診断装置の構成の一例を示すブロック図である。
【発明を実施するための形態】
【０００７】
以下、図面を参照しながら本実施形態に係る医用画像診断装置を説明する。なお、以下の説明において、略同一の機能及び構成を有する構成要素については、同一符号を付し、重複説明は必要な場合にのみ行う。
【０００８】
図１は、本実施形態に係る医用画像診断装置１の構成の一例を示すブロック図である。図１に示すように、医用画像診断装置１は、通信インターフェース部１１と、記憶部１２と、ＬＵＴ作成部１３（対応表作成部１３）と、カラーマップ変換部１４と、制御部１５と、入力部１６と、血管領域抽出部１７と、表示範囲設定部１８と、画像選択部１９と、表示部２０と、を有する。
【０００９】
本実施形態に係る医用画像診断装置１は、ＬＡＮ（Ｌｏｃａｌ  Ａｒｅａ  Ｎｅｔｗｏｒｋ）や公衆電子通信回線等のネットワークを介して、ＣＴ（Ｃｏｍｐｕｔｅｄ  Ｔｏｍｏｇｒａｐｈｙ：コンピュータ断層撮影）装置、医用画像処理装置、及びＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ：医療画像情報システム）等の外部装置に接続される。本医用画像診断装置１は、ネットワークを介して外部装置に接続するための通信インターフェース部１１を有する。通信インターフェース部１１は、例えば、外部装置等と有線ケーブル等で接続されるためのコネクタ部（図示せず）及び外部装置からの無線信号を受信するための無線信号受信部（図示せず）等を有する。本医用画像診断装置１は、後述の制御部１５の制御に従って、外部装置と通信インターフェース部１１を介したデータの送受を行う。
【００１０】
記憶部１２は、半導体記憶素子であるＦｌａｓｈ  ＳＳＤ（Ｓｏｌｉｄ  Ｓｔａｔｅ  Ｄｉｓｋ）などの半導体記憶装置及びＨＤＤ（Ｈａｒｄ  Ｄｉｓｋ  Ｄｒｉｖｅ）等である。記憶部１２は、制御部１５による制御に従って、外部装置から送信された複数種類の画像のデータを記憶する。複数の画像とは、複数の形態画像（以下、単に複数の形態画像と呼ぶ。）、複数のＦＦＲ（Ｆｕｎｃｔｉｏｎａｌ  Ｆｌｏｗ  Ｒｅｓｅｒｖｅ：心筋部分血流予備量）分布図（以下、単に複数のＦＦＲ分布図と呼ぶ。）、及び被検体の冠動脈が血液を供給する心筋に関する複数の心筋パフュージョン画像等である。これら種類の複数の医用画像は、それぞれ、被検体の冠動脈に関する時系列を構成する。なお、心筋パフュージョン画像は、ＣＴ装置だけではなく、他のモダリティ、例えばＭＲＩ装置等により発生された画像であってもよい。なお、本医用画像診断装置１で扱う上述の画像は、ことわりがない限り３Ｄの画像データである。形態画像は、３Ｄの冠動脈モデルを含む。被検体の冠動脈に関する時系列は、被検体の心拍動の１サイクルにおける複数の時相を少なくとも含む。また、形態画像に関する複数時相は、少なくともＦＦＲ分布図に関する複数時相を含んでいる。また、形態画像における冠動脈を含む被検体の範囲は、ＦＦＲ分布図における冠動脈を含む被検体の範囲を少なくとも含む。
【００１１】
記憶部１２は、後述のＬＵＴ作成部１３で作成されたＬＵＴ（Ｌｏｏｋ  Ｕｐ  Ｔａｂｌｅ）のデータを記憶する。ＬＵＴは、複数のＦＦＲ値に対してそれぞれ複数の色情報を対応させた表である。色情報は、例えば、色の種類、色の濃淡、及び色の塗りつぶし効果等である。なお、記憶部１２は、予め複数のＦＦＲ値に対して、それぞれ複数の色情報を対応させたＬＵＴのデータを、記憶していてもよい。この時、記憶部１２に予め記憶されているＬＵＴにおいて、ＦＦＲ値の最小値は０、最大値が１である。
【００１２】
また、記憶部は、入力部１６を介してユーザにより入力された後述の表示モードの詳細条件に関するデータを記憶する。なお、記憶部１２は、通信インターフェース部１１を介して受信し、記憶した上述の複数種類の医用画像のデータを、そのまま保持していてもよいし、本医用画像診断装置１のユーザ操作が終了したのを契機に消去されてもよい。
【００１３】
ＬＵＴ作成部１３は、マスターテーブルとＬＵＴ作成の対象のデータとに基づいてＬＵＴを作成する。マスターテーブルは、例えば、最小値から最大値まで１０等分割した１０のＦＦＲ値に対して、それぞれ１０の色情報を対応させた表である。等分の分割数、色情報の割り当て順序、及び色情報の数等は、入力部１６を介したユーザ指示に従って適宜変更が可能である。まず、ＬＵＴ作成部１３は、ＬＵＴ作成の対象のデータからＦＦＲ値の最小値と最大値とを特定する。ＬＵＴ作成の対象とは、１）複数のＦＦＲ分布図のデータ、２）後述の表示範囲設定部１８により、複数のカラーマップまたは複数の形態画像からそれぞれ設定された範囲のデータ、３）後述の画像選択部１９により、複数のカラーマップから抽出された複数のカラーマップのデータ等である。そして、ＦＦＲ値の最小値と最大値との間を、マスターテーブルにおける値の分割数に従って等分割する。そして、ＬＵＴ作成部１３は、ＦＦＲ値の最小値、ＦＦＲ値の最大値、及びその間を等分割した複数のＦＦＲ値に対して、マスターテーブルで定義した複数の色情報をそれぞれ付加することにより、ＬＵＴを作成する。
【００１４】
カラーマップ変換部１４は、ＬＵＴに基づいて、また、カラーマップ変換部１４は、ＦＦＲ値に関するグラフを、ＬＵＴに基づいて色情報を付加したカラーグラフに変換する。
【００１５】
制御部１５は、ＣＰＵ（Ｃｅｎｔｒａｌ  Ｐｒｏｃｅｓｓｉｎｇ  Ｕｎｉｔ）とメモリ回路等を有する。制御部１５は、入力部１６から入力された情報を受け取り、一時的にメモリ回路に入力情報を記憶する。制御部１５は、入力情報に基づいて本医用画像診断装置１の各部を制御する。
【００１６】
入力部１６は、本医用画像診断装置１に対して、ユーザによる指示情報を受け付けるための、インターフェースとして機能する。入力部１６には、マウス、キーボード、トラックボール、タッチパネル、及びボタン等の入力デバイスが適宜利用可能である。
【００１７】
具体的には、入力部１６は、ユーザによる冠動脈のＦＦＲ結果の表示モードの入力を受け付ける。冠動脈のＦＦＲ結果とは、心拍動の１サイクルにおける、冠動脈の血管領域に関するＦＦＲの時間変化を示す。冠動脈のＦＦＲ結果の表示モードには、特定期間表示モード、間引き表示モード、局所表示モード、血管表示モード、及びＦＦＲ値限定モード等が含まれる。これらの表示モードは、ユーザによる冠動脈のＦＦＲ結果の読影効率向上を目的として、本医用画像診断装置１が備える表示モードである。また、入力部１６は、各モードにおける詳細条件のユーザによる入力を受け付ける。各モード及びその詳細条件の説明は後述する。
【００１８】
また、入力部１６は、表示部２０による、複数のカラーマップの表示対象の入力をユーザから受け付ける。  
例えば、入力部１６は、形態画像上またはＦＦＲ分布図上でのユーザ操作で、上述の表示対象の範囲の入力を受け付ける。例えば、ユーザは、形態画像上またはＦＦＲ分布図上をマウス操作によりＦＦＲ値の時間変化を見たい範囲を指定することにより、上述の表示対象の範囲を入力できる。この時、ユーザは、画像毎に対象の範囲を指定してもよいし、複数の形態画像または複数のＦＦＲ分布図のうち、代表画像で対象の範囲を指定し、代表画像で指定した範囲は、他の画像に対しても適用されてもよい。
【００１９】
また、複数の形態画像に対応する心電波形（または、心電波形モデル）が表示部２０に表示され、表示された心電波形上のユーザ操作により、上述の表示対象のＦＦＲ分布図が指定されてもよい。
【００２０】
また、入力部１６は、後述の表示範囲設定部１８が、複数のカラーマップからそれぞれカラーで表示部２０に表示する範囲（以下、カラー表示範囲）を設定するための入力を受け付ける。例えば、表示範囲設定部１８が、ＦＦＲ値に基づいて、カラー表示範囲を設定する場合、ユーザは、表示したいＦＦＲ値の上限値と下限値とのうち少なくとも一方を入力することにより、ＦＦＲ値の範囲を設定することができる。例えば、ユーザは、ＦＦＲ値を０．８以下と設定することにより、血管狭窄に関して重症と推定できるカラー表示範囲を設定することができる。
【００２１】
さらに、入力部１６は、後述の表示部２０への心筋パフュージョン画像及びポーラーマップに関する表示及び非表示のユーザ指示を受け付ける。また、入力部１６は、上述の各表示モードの切り替え操作、各表示モードの設定及び解除の切り替え操作を受け付ける。
【００２２】
血管領域抽出部１７は、形態画像から輝度値に基づいて血管領域を抽出する。そして、血管領域抽出部１７は、抽出した血管領域から、血管狭窄位置、血管分岐位置、所定の幅以上の血管の位置、及び所定の幅以下の血管の位置を特定する。血管狭窄位置は、例えば、抽出した血管領域の内径値の変化量に従って特定することが出来る。これは、冠動脈における分岐位置及び血管末端部以外の範囲において、血管の内径値は、大きく変動することはないため、内径値の変化量が大きい範囲が狭窄範囲である可能性は高いためである。血管分岐位置は、例えば、抽出した血管領域から芯線を特定し、芯線の分岐する位置に従って特定することができる。所定の幅以上または所定の幅以下の血管の位置は、例えば、付帯情報や撮影条件等に基づいて、特定することができる。
【００２３】
表示範囲設定部１８は、ＦＦＲ値に基づいて、複数のカラーマップからそれぞれ表示対象を設定する（後述のＦＦＲ値限定モード時）。また、表示範囲設定部１８は、血管領域抽出部１７により複数の形態画像からそれぞれ抽出された血管狭窄位置、血管分岐位置、及び所定の幅以上の血管の位置のうち、少なくとも１つに基づいて、複数のカラーマップからそれぞれ表示対象を設定する（後述の局所表示モード時）。表示範囲設定部１８による表示範囲の設定方法については後述する。
【００２４】
画像選択部１９は、心拍位相に基づいて、複数のカラーマップから表示対象のカラーマップを抽出する（後述の特定期間表示モード）。画像選択部１９による画像の選択方法については後述する。
【００２５】
表示部２０は、複数のカラーマップと、複数のカラーマップとそれぞれ時相が対応する複数の形態画像とを重ねた複数の重畳画像を表示する。後述の特定期間モードと間引きモードとにおいて、表示対象のカラーマップは、画像選択部１９により抽出されたカラーマップである。また、後述の局所表示モードとＦＦＲ値限定モードとにおいて、表示対象のカラーマップは、複数のカラーマップ全てである。しかしながら、複数のカラーマップそれぞれは、カラー表示範囲のみがカラーで表示される。したがって、表示部２０は、各モードにおいて、複数のカラーマップの表示対象を制限した重畳画像を表示する。
【００２６】
また、表示部２０は、表示モードの切り替え操作、カラーマップの作成に用いるＬＵＴの切り替え操作をユーザから受け付けるためのソフトボタン等を表示する。
【００２７】
次に、本実施形態に係る医用画像診断装置１が備える特定期間表示モードについて説明する。  
（特定期間表示モード）  
特定期間表示モードは、被検体の心拍動の１サイクルの特定期間における重畳画像の時間変化を表示するモードである。
【００２８】
図２は、本実施形態に係る医用画像診断装置１の特定期間表示モードにおける処理手順を示したフローチャートである。まず、外部装置から、通信インターフェース部１１を介して、被検体の冠動脈に関する複数の形態画像のデータと複数のＦＦＲ分布図のデータとを受信する（ステップＳ１１）。受信した複数のＦＦＲ分布図に基づいて、ＬＵＴ作成部１３により第１ＬＵＴが作成される（ステップＳ１２）。
【００２９】
カラーマップ変換部１４により、第１ＬＵＴに基づいて、複数のＦＦＲ分布図がそれぞれ対応する複数の第１カラーマップに変換される（ステップＳ１３）。
【００３０】
次に、特定期間が設定される（ステップＳ１４）。特定期間とは、例えば、心臓の拡張期間、心臓の縮小期間、及びユーザにより指定された期間（以下、ユーザ指定期間と呼ぶ）等である。ユーザ指定期間は、例えば、形態画像の時間変化する動画像上で表示開始時相と表示終了時相とをユーザにより指定されることにより設定が可能である。心臓の拡張期間と縮小期間とは、例えば、形態画像各々に付帯されている心電波形の時相に相当する情報に基づいて特定できる。
【００３１】
次に、画像選択部１９により、ステップＳ１３で変換された複数の第１カラーマップから、特定期間を構成する複数時相に対応する複数の第１カラーマップが選択される（ステップＳ１５）。
【００３２】
次に、ＬＵＴ作成部１３により、特定期間を構成する複数時相に対応する複数の第１カラーマップに含まれるＦＦＲ値に基づいて、第２ＬＵＴが作成される（ステップＳ１６）。
【００３３】
そして、カラーマップ変換部１４により、第２ＬＵＴに基づいて、複数のＦＦＲ分布図がそれぞれ対応する複数の第２カラーマップに変換される（ステップＳ１７）。
【００３４】
表示部２０により、特定期間を構成する複数時相に対応する複数のカラーマップと、複数のカラーマップにそれぞれ対応する複数の形態画像とを重ねた複数の重畳画像が表示される（ステップＳ１８）。この時、特定期間を構成する複数時相に対応する複数のカラーマップは、複数の第１カラーマップと複数の第２カラーマップとのうち、一方に対応する。例えば、表示している重畳画像に用いられているカラーマップが第１カラーマップである場合、ステップＳ１９で、ユーザによりカラーマップの切り替えが指示されると、表示部２０は、重畳画像に用いるカラーマップを第１カラーマップから第２カラーマップに切り替える。
【００３５】
そして、ユーザによるカラーマップの切り替え指示があるたびに、ステップＳ１８の処理が各部により繰り返し実行される（ステップＳ１９）。
【００３６】
次に、本実施形態に係る医用画像診断装置１が備える間引き表示モードについて説明する。  
（間引き表示モード）  
間引き表示モードは、被検体の心拍動の１サイクルを構成する複数時相に対応する複数の重畳画像に対する間引き処理をして残った複数の重畳画像の時間変化を表示するモードである。
【００３７】
図３は、本実施形態に係る医用画像診断装置１の間引き表示モードにおける処理手順を示したフローチャートである。まず、外部装置から、通信インターフェース部１１を介して、被検体の冠動脈に関する複数の形態画像のデータと複数のＦＦＲ分布図のデータとを受信する（ステップＳ２１）。受信した複数のＦＦＲ分布図に基づいて、ＬＵＴ作成部１３により第１ＬＵＴが作成される（ステップＳ２２）。
【００３８】
カラーマップ変換部１４により、第１ＬＵＴに基づいて、複数のＦＦＲ分布図がそれぞれ対応する複数の第１カラーマップに変換される（ステップＳ２３）。
【００３９】
そして、入力部１６を介したユーザ指示に従って、間引き率が設定される（ステップＳ２４）。次に、画像選択部１９により、複数の第１カラーマップから、ステップＳ２４で設定された間引き率に従って、複数の第１カラーマップが選択される（ステップＳ２５）。ＬＵＴ作成部１３により、ステップＳ２５で選択された第１カラーマップに含まれるＦＦＲ値に基づいて、第３ＬＵＴが作成される（ステップＳ２６）。
【００４０】
そして、カラーマップ変換部１４により、第３ＬＵＴに基づいて、複数のＦＦＲ分布図がそれぞれ対応する複数の第３カラーマップに変換される（ステップＳ２７）。
【００４１】
表示部２０により、複数のカラーマップから、ステップＳ２４で設定された間引き率に従って選択された複数のカラーマップと、選択された複数のカラーマップにそれぞれ対応する複数の形態画像とを重ねた複数の重畳画像が表示される（ステップＳ２８）。この時、複数のカラーマップは、複数の第１カラーマップと複数の第３カラーマップとのうち、一方に対応する。例えば、表示している重畳画像に用いられているカラーマップが第１カラーマップである場合、ステップＳ２９で、ユーザによりカラーマップの切り替えが指示されると、表示部２０は、重畳画像に用いるカラーマップを第１カラーマップから第３カラーマップに切り替える。
【００４２】
そして、ユーザによるカラーマップの切り替え指示があるたびに、ステップＳ２８の処理が各部により繰り返し実行される（ステップＳ２９）。
【００４３】
次に、本実施形態に係る医用画像診断装置１が備える局所表示モードについて説明する。  
（局所表示モード）  
局所表示モードは、被検体の冠動脈における、特定の範囲における重畳画像の時間変化を表示するモードである。
【００４４】
図４は、本実施形態に係る医用画像診断装置１の局所表示モードにおける処理手順を示したフローチャートである。まず、外部装置から、通信インターフェース部１１を介して、被検体の冠動脈に関する複数の形態画像のデータと複数のＦＦＲ分布図のデータとを受信する（ステップＳ３１）。受信した複数のＦＦＲ分布図に基づいて、ＬＵＴ作成部１３により第１ＬＵＴが作成される（ステップＳ３２）。
【００４５】
カラーマップ変換部１４により、第１ＬＵＴに基づいて、複数のＦＦＲ分布図がそれぞれ対応する複数のカラーマップに変換される（ステップＳ３３）。
【００４６】
次に、入力部１６を介して、カラー表示範囲の種類を受け付ける。具体的には、ユーザは下記の４つの種類の表示範囲から少なくとも１つの表示範囲を選択する。４つの種類の表示範囲とは、例えば、ユーザにより指定された範囲（以下、ユーザ指定範囲と呼ぶ）、血管の狭窄部位を含んだ範囲（以下、狭窄範囲と呼ぶ）、血管の分岐位置を含んだ範囲（以下、分岐範囲と呼ぶ）、及び血管の内径が特定の幅以上の範囲（以下、特定血管範囲と呼ぶ）等である。
【００４７】
カラー表示範囲に「ユーザ指定範囲」が選択された場合（ステップＳ３４）において、形態画像上またはＦＦＲ分布図上でユーザにより指定された範囲を、表示範囲設定部１８によりカラー表示範囲と設定される（ステップＳ３５）。
【００４８】
カラー表示範囲に「狭窄範囲」が選択された場合（ステップＳ３６）において、血管領域抽出部１７により、形態画像から血管領域が抽出される。そして、抽出された血管領域から血管狭窄位置が特定される（ステップＳ３７）。そして、表示範囲設定部１８により、カラー表示範囲が、血管狭窄位置からそれぞれ四方に所定マージンを加えた範囲に設定される（ステップＳ３８）。なお、所定のマージンは、予め記憶部１２に記憶されており、入力部１６を介したユーザ指示に従って、適宜変更が可能である。
【００４９】
カラー表示範囲に「分岐範囲」が選択された場合（ステップＳ３９）において、血管領域抽出部１７により、形態画像から血管領域が抽出される。そして、抽出された血管領域から血管分岐位置が特定される（ステップＳ４０）。そして、表示範囲設定部１８により、表示範囲が、血管分岐位置を表示の中心として、所定のサイズの範囲に設定される（ステップＳ４１）。なお、所定のサイズは、例えば、「血管分岐位置から５ｃｍの範囲」等に設定されており、その設定のデータは、予め記憶部１２に記憶されている。ただし、設定のデータは、入力部１６を介したユーザ指示に従って、適宜変更が可能である。
【００５０】
表示方法が上述のいずれでもない場合において、カラー表示範囲は「特定血管範囲」である。血管領域抽出部１７により、形態画像から血管領域が抽出される。そして、抽出された血管領域から特定血管範囲が特定される（ステップＳ４２）。特定血管範囲とは、例えば、内径は所定値よりも大きい血管領域の範囲、または、血管内径が所定値よりも小さい血管領域の範囲等である。表示範囲設定部１８により、表示範囲が、特定血管範囲の四方にマージンを加えた範囲に設定される（ステップＳ４３）。
【００５１】
そして、表示部２０により、カラー表示範囲を表示対象として、複数のカラーマップと、複数のカラーマップにそれぞれ時相が対応する複数の形態画像とを重ねた重畳画像が表示される（ステップＳ４４）。
【００５２】
なお、ステップＳ１７、ステップＳ２７、及びステップＳ４４において、表示部２０は、複数の心筋パフュージョン画像に対して、複数の形態画像と複数のカラーマップとを位置整合及び時相整合した重畳画像を表示してもよい。同様に、ステップＳ１７、ステップＳ２７、及びステップＳ４４において、表示部２０は、複数のポーラーマップに対して、複数の形態画像と複数のカラーマップとを位置整合及び時相整合した重畳画像を表示してもよい。これらの表示、非表示は、入力部１６を介したユーザ指示に従って、適宜切替可能である。
【００５３】
図５は、心筋パフュージョン画像に対して形態画像とカラーマップとを重ねた重畳画像の表示の一例を示した図である。図５に示すように、心筋パフュージョン画像に対して、形態画像（３Ｄ冠動脈モデル）とカラーマップとを重ねた重畳画像が表示されている。図５に示すように、心筋パフュージョン画像は、心筋パフュージョン画像の部分範囲が表示されているものであってもよい。この時、表示する部分範囲は、入力部１６を介したユーザ指示に従って、設定が可能である。また、心筋パフュージョン画像上の虚血領域が含まれるように、表示部２０により自動的に表示されてもよい。ＦＦＲ値に関するカラースケールバーは、ＦＦＲ分布図からカラーマップに変換するのに用いられたＬＵＴに従って表示され、ＦＦＲ値の大きさを色で表現するためのものである。血流量に関するカラースケールバーは、心筋パフュージョン画像のカラー表示に適用され、血流量を色で表現するためのものである。図５の表示により、冠動脈に関する重畳画像に対して、その冠動脈が血液を供給する心筋に関する機能画像を位置整合して表示することで、ユーザは、冠動脈のＦＦＲ値の時間変化と心筋の状態変化とを併せて読影することができる。これにより、ユーザによる読影効率、診察精度を向上することができる。したがって、心筋パフュージョン画像は、心筋の状態を表す機能画像であれば、他の画像であってもよい。機能画像は、例えば、ＳＰＥＣＴを用いた機能画像診断、ＭＲＩを用いた遅延造影検査、及びＰＥＴを用いた機能画像診断等により発生された機能画像であってもよい。また、心筋の状態を表す機能画像は、例えば、心筋パフュージョン画像に対応するポーラーマップ等でもよい。この時、心筋の状態を表す機能画像は、記憶部１２に記憶されていてもよいし、通信インターフェース部１１を介して接続されているＰＡＣＳ等に記憶されていてもよい。
【００５４】
図６は、ポーラーマップに対して形態画像とカラーマップとを重ねた重畳画像の表示の一例を示した図である。この時、記憶部１２には、被検体の冠動脈が血液を供給する心筋に関する複数の心筋パフュージョン画像に、それぞれ対応する複数のポーラーマップのデータが記憶されているものとする。図６に示すように、ポーラーマップに対して、形態画像とカラーマップとを重ねた重畳画像が表示されている。ＦＦＲ値に関するカラースケールバーは、ＦＦＲ分布図からカラーマップに変換するのに用いられたＬＵＴに従って表示され、ＦＦＲ値の大きさを色で表現するためのものである。血流量に関するカラースケールバーは、ポーラーマップのカラー表示に適用され、血流量を色で表現するためのものである。
【００５５】
次に、本実施形態に係る医用画像診断装置１が備える血管表示モードについて説明する。  
（血管表示モード）  
血管表示モードは、被検体の冠動脈における、血管毎のＦＦＲ結果の時間変化を表示するモードである。
【００５６】
図７は、本実施形態に係る医用画像診断装置１の血管表示モードにおける処理手順を示したフローチャートである。まず、外部装置から、通信インターフェース部１１を介して、被検体の冠動脈に関する複数の形態画像のデータと複数のＦＦＲ分布図のデータとを受信する（ステップＳ６１）。受信した複数のＦＦＲ分布図に基づいて、ＬＵＴ作成部１３により第１ＬＵＴが作成される（ステップＳ６２）。
【００５７】
そして、血管領域抽出部１７により、形態画像から血管領域が抽出され、抽出された血管領域から血管芯線が抽出される（ステップＳ６３）。そして、抽出された血管芯線の分岐位置が特定される。血管芯線の分岐位置に従って、抽出された血管領域が複数の血管部分に分割される（ステップＳ６４）。入力部１６を介したユーザ指示に従って、表示する血管部分が設定される（ステップＳ６５）。血管部分の設定は、例えば、表示された形態画像上のユーザによるマウス操作等により可能である。血管領域抽出部１７により、表示する血管部分の血管芯線上の分岐位置を始点として、血管芯線に沿って複数の点が設定される（ステップＳ６６）。
【００５８】
そして、表示部２０により、距離、時間経過、ＦＦＲ値を３軸とした３次元グラフが表示される（ステップＳ６７）。距離とは、表示する血管部分の所定の位置から、例えば、血管分岐位置から複数の点それぞれの距離を示す。時間経過とは、時系列の所定の時間を基準とした時間経過を示す。ここでの所定の時間とは、例えば、心臓の収縮末期、拡張末期等である。ＦＦＲ値は、ある点のある時間におけるＦＦＲ値を示す。
【００５９】
図８は、３次元グラフの一例を示した図である。図８に示すように、３次元グラフは、ＦＦＲ値に応じてカラーグラフとしてもよく、この時、カラーグラフ表示に用いられるＬＵＴは、例えば、第１ＬＵＴ等である。また、表示する血管部分に含まれるＦＦＲ値に基づいて、ＬＵＴ作成部１３により作成されたＬＵＴであってもよい。ＦＦＲ値に関するカラースケールバーは、カラーグラフに用いられたＬＵＴに基づいて、ＦＦＲ値に応じた色情報を示す。なお、血管表示モードにおいて、３次元グラフは、拍動におけるどの時間であるかと、表示する血管部分での位置と、ＦＦＲ値の大きさとがユーザにより読影しやすいグラフであればよく、例えば、時間経過と、分岐位置からの距離とを２軸とした２次元マップを、第１ＬＵＴに従って、カラーマップ変換部１４により変換された２次元カラーマップであってもよい。
【００６０】
（ＦＦＲ値限定モード）  
ＦＦＲ値限定モードは、被検体の冠動脈における、特定のＦＦＲ値の範囲における重畳画像の時間変化を表示するモードである。
【００６１】
図９は、本実施形態に係る医用画像診断装置１のＦＦＲ値限定モードにおける処理手順を示したフローチャートである。まず、外部装置から、通信インターフェース部１１を介して、被検体の冠動脈に関する複数の形態画像のデータと複数のＦＦＲ分布図のデータとを受信する（ステップＳ７１）。受信した複数のＦＦＲ分布図に基づいて、ＬＵＴ作成部１３により第１ＬＵＴが作成される（ステップＳ７２）。
【００６２】
カラーマップ変換部１４により、第１ＬＵＴに基づいて、複数のＦＦＲ分布図がそれぞれ対応する複数のカラーマップに変換される（ステップＳ７３）。
【００６３】
次に、入力部１６を介したユーザ指示に従って、カラー表示範囲を設定するためのＦＦＲ値の範囲の入力を受け付ける（ステップＳ７４）。
【００６４】
表示範囲設定部１８により、ステップＳ７４（またはステップＳ７７）で設定されたＦＦＲ値の範囲に対応する範囲が複数のカラーマップから、それぞれ抽出される（ステップＳ７５）。抽出された範囲がカラー表示範囲である。
【００６５】
そして、表示部２０により、カラー表示範囲を表示対象として、複数のカラーマップと、複数のカラーマップにそれぞれ時相が対応する複数の形態画像とを重ねた重畳画像が表示される（ステップＳ７６）。
【００６６】
そして、ユーザによりＦＦＲ値の範囲が変更された場合、処理がステップＳ７５に移行される（ステップＳ７７）。
【００６７】
なお、以上述べた複数の表示モードのうち、特定期間表示モードと間引き表示モードとは、表示する重畳画像を限定するモードである。また、局所表示モードとＦＦＲ値限定モードとは、形態画像と重ねて表示するカラーマップのカラーで表示する範囲を限定するモードである。これらのモードは単独でしか使用できないモードではなく、これらを組み合わせたモードでの表示が可能である。例えば、特定期間表示モードとＦＦＲ値限定モードとを組み合わせた場合において、ユーザ指示に従った特定期間に対応する重畳画像が表示され、かつ、その重ねられたカラーマップのカラー表示範囲が限定される。
【００６８】
以上に述べた表示モードを備える本実施形態に係る医用画像診断装置１によれば、以下の効果を得ることができる。  
本実施形態に係る医用画像診断装置１は、特定期間表示モードにおいて、心拍動の１サイクルにおける特定の期間に限定した冠動脈のＦＦＲ結果の時間変化を表示することが出来る。間引き処理モードにおいて、間引き率を調整することで、単位時間あたりのＦＦＲ値の変動を小さくした状態における、冠動脈のＦＦＲ結果の時間変化を表示することができる。局所表示モードにおいて、ユーザの関心のある領域（血管狭窄位置、血管分岐位置、及び所定の幅以上の血管の範囲）のみが、ＦＦＲ値の大きさに応じたカラーで表示される。一方、上述の関心のない領域は、カラーで表示されずに、形態画像がそのまま表示された状態となる。したがって、ユーザは、冠動脈の関心のある領域に関するＦＦＲ結果の時間変化を読影することができる。血管表示モードにおいて、血管毎のＦＦＲ結果の時間変化を表示することが出来る。ＦＦＲ値限定モードにおいて、設定したＦＦＲ値の範囲に対応する範囲のみが、ＦＦＲ値に大きさに応じたカラーで表示される。一方、設定したＦＦＲ値の範囲外に対応する範囲は、形態画像がそのまま表示された状態となる。したがって、ユーザは、関心のあるＦＦＲ値の範囲に対応する領域に関するＦＦＲ結果の時間変化を読影することができる。また、ＦＦＲ分布図からカラーマップに変換するために、予め登録されているＬＵＴを用いてもよいし、上述のように表示対象のカラーマップに含まれるＦＦＲ値に基づいて作成された他のＬＵＴを用いてもよい。ＬＵＴと他のＬＵＴとでは、対応表に含まれるＦＦＲ値の範囲が異なる。例えば、ＬＵＴにおいて、ＦＦＲ値の上限値が１で下限値が０．２であったのが、他のＬＵＴでは、ＦＦＲ値の上限値が１で、下限値が０．７等である。そのため、他のＬＵＴを用いることにより、表示対象のカラーマップのＦＦＲ値の分布を見やすくできる。
【００６９】
上述の複数の表示モード及び表示方法は、表示する重畳画像の枚数の限定、表示する範囲の限定、及びカラー表示する範囲の限定の３種類の限定のうち、いずれかに対応する表示モードである。これらの限定は、めまぐるしく変化する冠動脈のＦＦＲ結果の時間変化を、見やすくするものである。したがって、上述の表示モードを備える本実施形態に係る医用画像診断装置１は、ＦＦＲ結果の時間変化に関する表示において、ユーザの読影効率を向上させることができる。
【００７０】
（変形例）  
次に、本実施形態の変形例に係る医用画像診断装置１について、本実施形態に係る医用画像診断装置１との違いを中心に説明する。  
図１０は、本実施形態の変形例に係る医用画像診断装置１の構成の一例を示すブロック図である。図１０に示すように、本実施形態に係る医用画像診断装置１との違いは、構成要素に画像処理部２１が追加されている点にある。
【００７１】
記憶部１２は、被検体の冠動脈が血液を供給する心筋に関する時系列を構成する複数のボリュームデータを記憶する。ボリュームデータは、ＣＴ装置、ＭＲＩ装置、ＳＰＥＣＴ装置、及びＰＥＴ装置等により収集される。
【００７２】
画像処理部２１は、記憶部１２に記憶されている複数のボリュームデータに基づいて、複数の重畳画像とそれぞれ時相が対応する複数の機能画像を発生する。機能画像とは、例えば、心筋パフュージョン画像、ポーラーマップ等である。
【００７３】
表示部２０は、複数のカラーマップと、複数のカラーマップにそれぞれ時相が対応する複数の形態画像とを重ねた複数の重畳画像を、それぞれ時相が対応する複数の機能画像に対して位置整合させて重ねて表示する。なお、機能画像として心筋パフュージョンを用いた表示例が図５、機能画像としてポーラーマップを用いた表示例が図６である。
【００７４】
本実施形態に係る医用画像診断装置１は、記憶部１２に予め機能画像のデータ、例えば、心筋パフュージョン画像のデータとポーラーマップのデータとが記憶されていた。一方、本実施形態の変形例に係る医用画像診断装置１は、記憶部１２に、被検体の冠動脈が血液を供給する心筋に関する時系列を構成する複数のボリュームデータが記憶されている。そして、画像処理部２１は、ユーザ指示に従って、適宜、機能画像、例えば、心筋パフュージョン画像、ポーラーマップ等を作成することができる。したがって、表示部２０により、重畳画像を機能画像に対して重ねて表示する場合において、変形例に係る医用画像診断装置１は、実施形態に係る医用画像診断装置１よりも、表示自由度を向上することができる。
【００７５】
本発明のいくつかの実施形態を説明したが、これらの実施形態は、例として提示したものであり、発明の範囲を限定することは意図していない。これら実施形態は、その他の様々な形態で実施されることが可能であり、発明の趣旨を逸脱しない範囲で、種々の省略、置き換え、変更を行なうことができる。例えば、図２、図３、及び図９で示したフローチャートに含まれる、カラーマップの切り替えに関する処理は、省略が可能である。また、本実施形態と本実施形態の変形例では、カラーマップのカラーで表示する対象（範囲）をＦＦＲ値、血管狭窄位置、血管分岐位置、及び所定の幅以上の血管の領域に基づいて自動的に限定し、表示する重畳画像を、複数の重畳画像から、心拍位相に基づいて、自動的に限定している。しかしながら、カラーマップに変換する対象を同様の方法で限定してもよい。これら実施形態やその変形は、発明の範囲や趣旨に含まれると同様に、特許請求の範囲に記載された発明とその均等の範囲に含まれるものある。
【００７６】
上記実施形態は、例えば、以下の付記のように記載され得る。
［１］  冠動脈に関する所定時相のＦＦＲ分布図のデータと、前記時相に対応する前記冠動脈に関する形態画像のデータとを記憶する記憶部と、
前記ＦＦＲ分布図をカラーマップに変換するカラーマップ変換部と、
前記形態画像に含まれる血管内径に基づいて、前記カラーマップを表示する範囲を設定する表示範囲設定部と、
前記範囲を表示対象としたカラーマップと、前記形態画像とを重ねた重畳画像を表示する表示部と
を具備する医用画像診断装置。
［２］  前記形態画像から、所定の内径の血管の範囲を特定する血管領域抽出部をさらに具備し、
前記表示範囲設定部は、前記特定された範囲に基づいて前記カラーマップを表示する範囲を設定する、［１］に記載の医用画像診断装置。
［３］  前記記憶部は、冠動脈に関する時系列を構成する複数のＦＦＲ分布図のデータと、前記時系列に対応する複数の形態画像のデータとを記憶し、
カラーマップ変換部は、前記複数のＦＦＲ分布図をそれぞれ対応する複数のカラーマップに変換し、
前記表示範囲設定部は、前記複数の形態画像に含まれる血管内径に基づいて、前記複数のカラーマップを表示する範囲を設定し、
前記表示部は、前記範囲を表示対象とした複数のカラーマップと、前記複数のカラーマップとそれぞれ時相が対応する複数の形態画像とを重ねた複数の重畳画像を表示する、［１］又は［２］に記載の医用画像診断装置。
［４］  冠動脈に関する所定時相のＦＦＲ分布図のデータと、前記時相に対応する前記冠動脈に関する形態画像のデータとを記憶する記憶部と、
前記ＦＦＲ分布図をカラーマップに変換するカラーマップ変換部と、
前記形態画像に含まれる血管分岐位置に基づいて、前記カラーマップを表示する範囲を設定する表示範囲設定部と、
前記範囲を表示対象としたカラーマップと、前記形態画像とを重ねた重畳画像を表示する表示部と
を具備する医用画像診断装置。
［５］  前記形態画像から、血管分岐位置を特定する血管領域抽出部をさらに具備し、
前記表示範囲設定部は、前記特定された位置に基づいて前記カラーマップを表示する範囲を設定する、［４］に記載の医用画像診断装置。
［６］  前記記憶部は、冠動脈に関する時系列を構成する複数のＦＦＲ分布図のデータと、前記時系列に対応する複数の形態画像のデータとを記憶し、
カラーマップ変換部は、前記複数のＦＦＲ分布図をそれぞれ対応する複数のカラーマップに変換し、
前記表示範囲設定部は、前記複数の形態画像に含まれる血管分岐位置に基づいて、前記複数のカラーマップを表示する範囲を設定し、
前記表示部は、前記範囲を表示対象とした複数のカラーマップと、前記複数のカラーマップとそれぞれ時相が対応する複数の形態画像とを重ねた複数の重畳画像を表示する、［４］又は［５］に記載の医用画像診断装置。
［７］  前記時系列は、心拍動の１サイクルを少なくとも含み、
前記表示部は、心拍位相に基づいて、前記複数のカラーマップから抽出した複数のカラーマップを表示対象として、前記複数のカラーマップと、前記少なくとも２つのカラーマップとそれぞれ時相が対応する前記少なくとも２つの形態画像とを重ねた少なくとも２つの重畳画像を表示する、［３］又は［６］に記載の医用画像診断装置。
［８］  前記複数のＦＦＲ分布図に含まれるＦＦＲ値の上限値と下限値とで定まる複数のＦＦＲ値に対して、それぞれ複数の色のデータを対応させた対応表のデータを発生するＬＵＴ発生部をさらに具備し、
前記カラーマップ変換部は、前記対応表に基づいて、前記複数のＦＦＲ分布図をそれぞれ対応する複数のカラーマップに変換する、［３］、［６］、及び［７］のうち、いずれか１つに記載の医用画像診断装置。
［９］  前記複数のカラーマップの表示対象に含まれるＦＦＲ値の上限値と下限値とで定まる複数のＦＦＲ値に対して、それぞれ複数の色のデータを対応させた他の対応表のデータを発生するＬＵＴ発生部をさらに具備し、
前記カラーマップ変換部は、前記対応表に基づいて、前記複数のＦＦＲ分布図をそれぞれ対応する複数のカラーマップに変換する、［３］、［６］、及び［７］のうち、いずれか１つに記載の医用画像診断装置。
［１０］  前記複数のＦＦＲ分布図に含まれるＦＦＲ値の上限値と下限値とで定まる複数のＦＦＲ値に対して、それぞれ複数の色のデータを対応させた対応表のデータと、前記複数のカラーマップの表示対象に含まれるＦＦＲ値の上限値と下限値とで定まる複数のＦＦＲ値に対して、それぞれ複数の色のデータを対応させた他の対応表のデータとを発生するＬＵＴ発生部をさらに具備し、
前記表示部は、前記対応表に基づいて作成された複数のカラーマップと、前記他の対応表に基づいて作成された複数のカラーマップとのうち、前記複数の形態画像と重ねて表示するカラーマップを、ユーザ指示に従って切り替える、［３］、［６］、及び［７］のうち、いずれか１つに記載の医用画像診断装置。
［１１］  前記記憶部は、前記冠動脈が血液を供給する心筋に関する時系列を構成する複数のボリュームデータを記憶し、
前記複数のボリュームデータに基づいて、前記心筋に関する時系列を構成する複数の機能画像を発生する画像処理部をさらに具備し、
前記表示部は、前記複数の重畳画像を、それぞれ対応する前記複数の機能画像に位置整合させて表示する、［３］、［６］、及び［７］乃至［１０］のいずれか１つに記載の医用画像診断装置。
［１２］  前記記憶部は、前記冠動脈が血液を供給する心筋に関する時系列を構成する複数の機能画像のデータを記憶し、
前記表示部は、前記複数の重畳画像を、それぞれ対応する前記複数の機能画像に位置整合させて表示する、［３］、［６］、及び［７］乃至［１０］のいずれか１つに記載の医用画像診断装置。
［１３］  前記機能画像は、心筋パフュージョン画像、または、ポーラーマップである、［１１］又は［１２］に記載の医用画像診断装置。
［１４］  前記記憶部は、冠動脈に関する時系列を構成する複数のＦＦＲ分布図のデータと、前記時系列に対応する複数の形態画像のデータとを記憶し、
カラーマップ変換部は、前記複数のＦＦＲ分布図をそれぞれ対応する複数のカラーマップに変換し、
前記表示範囲設定部は、前記複数の形態画像に含まれる血管分岐位置に基づいて、前記複数のカラーマップを表示する範囲を設定し、
前記表示部は、前記範囲に基づき、前記複数のカラーマップと、前記複数のカラーマップとそれぞれ時相が対応する複数の形態画像とを重ねた複数の重畳画像を表示し、
前記血管領域抽出部は、特定した血管分岐位置に基づいて、前記冠動脈を複数の血管部分に分割し、
前記表示部は、前記複数の血管部分のうち一血管部分に関して、血管分岐位置を始点とした距離と、前記時系列の所定の時間を始点とした時間と、血管分岐位置を始点とした距離と前記時系列の所定の時間を始点とした時間とに対応するＦＦＲ値と、を３軸としたグラフを表示する、［５］に記載の医用画像診断装置。
［１５］  冠動脈に関する所定時相のＦＦＲ分布図のデータと、前記時相に対応する前記冠動脈に関する形態画像のデータとを記憶し、
前記ＦＦＲ分布図のデータをカラーマップに変換し、
前記形態画像から所定の内径の血管の範囲を特定し、
前記特定された範囲に基づいて前記カラーマップを表示する範囲を設定し、
前記範囲を表示対象としたカラーマップと、前記形態画像とを重ねた重畳画像を表示する、表示方法。
［１６］  冠動脈に関する所定時相のＦＦＲ分布図のデータと、前記時相に対応する前記冠動脈に関する形態画像のデータとを記憶し、
前記ＦＦＲ分布図のデータをカラーマップに変換し、
前記形態画像から血管分岐位置を特定し、
前記血管分岐位置に基づいて、前記カラーマップを表示する範囲を設定し、
前記範囲を表示対象としたカラーマップと、前記形態画像とを重ねた重畳画像を表示する、表示方法。
【符号の説明】
【００７７】
１…医用画像診断装置、１１…通信インターフェース部、１２…記憶部、１３…ＬＵＴ作成部、１４…カラーマップ変換部、１５…制御部、１６…入力部、１７…血管領域抽出部、１８…表示範囲設定部、１９…画像選択部、２０…表示部、２１…画像処理部
【図１】
2018140175.tif 000003
【図２】
2018140175.tif 000004
【図３】
2018140175.tif 000005
【図４】
2018140175.tif 000006
【図５】
2018140175.tif 000007
【図６】
2018140175.tif 000008
【図７】
2018140175.tif 000009
【図８】
2018140175.tif 000010
【図９】
2018140175.tif 000011
【図１０】
2018140175.tif 000012
【手続補正書】
【提出日】平成30年4月26日(2018.4.26)
【手続補正１】
【補正対象書類名】特許請求の範囲
【補正対象項目名】全文
【補正方法】変更
【補正の内容】
【特許請求の範囲】
【請求項１】
冠動脈を含む領域をスキャンして得られた形態画像のデータを取得し、
形態画像から前記冠動脈の血管領域を抽出し、
抽出した前記血管領域に基づいて血管分岐位置を特定し、
特定した前記血管分岐位置に基づいて表示範囲を設定し、
前記表示範囲に対応する範囲内に制限して、前記形態画像に基づき冠動脈形状モデルを作成して行うシミュレーションにより求めた前記冠動脈内の圧力に関する指標値の空間分布に基づいて前記指標値に対応する色を前記冠動脈の対応する位置に割り当てたカラーマップを生成し、
前記カラーマップを表示する表示方法。
【請求項２】
冠動脈を含む領域をスキャンして得られた形態画像のデータを取得し、
前記形態画像から前記冠動脈の血管領域を抽出し、
抽出した前記血管領域の内径に基づいて特定血管の位置を特定し、
特定した前記特定血管の位置に基づいて表示範囲を設定し、
前記表示範囲に対応する範囲内に制限して、前記形態画像に基づき冠動脈形状モデルを作成して行うシミュレーションにより求めた前記冠動脈内の圧力に関する指標値の空間分布に基づいて前記指標値に対応する色を前記冠動脈の対応する位置に割り当てたカラーマップを生成し、
前記カラーマップを表示する、表示方法。
【請求項３】
前記指標値の上限値と下限値とで定まる複数の指標値に対して、それぞれ複数の色のデータを対応させた対応表のデータを発生し、
前記対応表に基づいて、前記指標値に対応する色を設定する請求項１、又は２に記載の表示方法。
【請求項４】
前記カラーマップの指標値の上限値と下限値とで定まる複数の指標値に対して、それぞれ複数の色のデータを対応させた他の対応表のデータを発生し、
前記対応表に基づいて、前記指標値に対応する色を設定する請求項１、又は２に記載の表示方法。
【請求項５】
前記指標値の上限値と下限値とで定まる複数の指標値に対して、それぞれ複数の色のデータを対応させた対応表のデータと、前記カラーマップの指標値の上限値と下限値とで定まる複数の指標値に対して、それぞれ複数の色のデータを対応させた他の対応表のデータとを発生し、
前記対応表に基づいて作成されたカラーマップと、前記他の対応表に基づいて作成されたカラーマップとを、ユーザ指示に従って切り替える請求項１、又は２に記載の表示方法。
【請求項６】
被検体の冠動脈に関する形態画像のデータを取得し、
前記形態画像のデータに基づいて血管分岐位置を特定し、
特定した前記血管分岐位置に基づいて前記冠動脈における表示範囲を設定し、
前記冠動脈に関して取得された圧力指標値の空間分布をカラーコード化したカラーマップを生成する際に、設定した前記表示範囲に制限して前記カラーマップを生成し、
生成した前記カラーマップを表示する、表示方法。
【請求項７】
被検体の冠動脈に関する形態画像のデータを取得し、
前記形態画像のデータの血管領域の内径に基づいて特定血管の位置を特定し、
特定した前記特定血管の位置に基づいて前記冠動脈における表示範囲を設定し、
前記冠動脈に関して取得された圧力指標値の空間分布をカラーコード化したカラーマップを生成する際に、設定した前記表示範囲に制限して前記カラーマップを生成し、
生成した前記カラーマップを表示する、表示方法。
【請求項８】
前記指標値の上限値と下限値とで定まる複数の指標値に対して、それぞれ複数の色のデータを対応させた対応表のデータを発生し、
前記対応表に基づいて、前記指標値の分布を前記カラーマップに変換する請求項６、又は７に記載の表示方法。
【請求項９】
前記カラーマップの指標値の上限値と下限値とで定まる複数の指標値に対して、それぞれ複数の色のデータを対応させた他の対応表のデータを発生し、
前記対応表に基づいて、前記指標値の分布を前記カラーマップに変換する請求項６、又は７に記載の表示方法。
【請求項１０】
前記指標値の上限値と下限値とで定まる複数の指標値に対して、それぞれ複数の色のデータを対応させた対応表のデータと、前記カラーマップの指標値の上限値と下限値とで定まる複数の指標値に対して、それぞれ複数の色のデータを対応させた他の対応表のデータとを発生し、
前記対応表に基づいて作成されたカラーマップと、前記他の対応表に基づいて作成されたカラーマップとを、ユーザ指示に従って切り替える請求項６、又は７に記載の表示方法。
【請求項１１】
前記冠動脈が血液を供給する心筋に関するボリュームデータに基づいて、前記心筋に関する機能画像を発生し、
前記カラーマップを、前記機能画像に位置整合させて表示する請求項１乃至請求項１０のいずれか１項に記載の表示方法。
【請求項１２】
前記冠動脈が血液を供給する心筋に関する機能画像のデータを取得し、
前記カラーマップを、前記機能画像に位置整合させて表示する請求項１乃至請求項１０のいずれか１項に記載の表示方法。
【請求項１３】
前記機能画像は、心筋パフュージョン画像、または、ポーラーマップである請求項１１または請求項１２記載の表示方法。
【請求項１４】
冠動脈を含む領域をスキャンして得られた形態画像のデータを記憶する記憶部と、
前記形態画像から前記冠動脈の血管領域を抽出し、抽出した前記血管領域に基づいて血管分岐位置を特定する血管領域抽出部と、
特定した前記血管分岐位置に基づいて表示範囲を設定する表示範囲設定部と、
前記表示範囲に対応する範囲内に制限して、前記形態画像に基づき冠動脈形状モデルを作成して行うシミュレーションにより求めた前記冠動脈内の圧力に関する指標値の空間分布に基づいて前記指標値に対応する色を前記冠動脈の対応する位置に割り当てたカラーマップを生成するカラーマップ変換部と、
前記カラーマップを表示する表示部と
を具備する医用画像診断装置。
【請求項１５】
冠動脈を含む領域をスキャンして得られた形態画像のデータを記憶する記憶部と、
前記形態画像から前記冠動脈の血管領域を抽出し、抽出した前記血管領域の内径に基づいて特定血管の位置を特定する血管領域抽出部と、
特定した前記特定血管の位置に基づいて表示範囲を設定する表示範囲設定部と、
前記表示範囲に対応する範囲内に制限して、前記形態画像に基づき冠動脈形状モデルを作成して行うシミュレーションにより求めた前記冠動脈内の圧力に関する指標値の空間分布に基づいて前記指標値に対応する色を前記冠動脈の対応する位置に割り当てたカラーマップを生成するカラーマップ変換部と、
前記カラーマップを表示する表示部と
を具備する医用画像診断装置。
【請求項１６】
冠動脈に関する形態画像のデータに基づいて血管分岐位置を特定する血管領域抽出部と、
特定した前記血管分岐位置に基づいて前記冠動脈における表示範囲を設定する表示範囲設定部と、
前記冠動脈に関して取得された圧力指標値の空間分布をカラーコード化したカラーマップを生成する際に、設定した前記表示範囲に制限して前記カラーマップを生成するカラーマップ変換部と、
生成した前記カラーマップを表示する表示部と
を具備する医用画像診断装置。
【請求項１７】
冠動脈に関する形態画像のデータの血管領域の内径に基づいて特定血管の位置を特定する血管領域抽出部と、
特定した前記特定血管の位置に基づいて前記冠動脈における表示範囲を設定する表示範囲設定部と、
前記冠動脈に関して取得された圧力指標値の空間分布をカラーコード化したカラーマップを生成する際に、設定した前記表示範囲に制限して前記カラーマップを生成するカラーマップ変換部と、
前記カラーマップを表示する表示部と
を具備する医用画像診断装置。
【請求項１８】
冠動脈を含む領域をスキャンして得られた形態画像のデータを取得する処理と、
前記形態画像から前記冠動脈の血管領域を抽出し、抽出した前記血管領域に基づいて血管分岐位置を特定する処理と、
特定した前記血管分岐位置に基づいて表示範囲を設定する処理と、
前記表示範囲に対応する範囲内に制限して、前記形態画像に基づき冠動脈形状モデルを作成して行うシミュレーションにより求めた前記冠動脈内の圧力に関する指標値の空間分布に基づいて前記指標値に対応する色を前記冠動脈の対応する位置に割り当てたカラーマップを生成する処理と、
前記カラーマップを表示する処理と
をプロセッサに実行させるプログラム。
【請求項１９】
冠動脈を含む領域をスキャンして得られた形態画像のデータを取得する処理と、
前記形態画像から前記冠動脈の血管領域を抽出し、抽出した前記血管領域の内径に基づいて特定血管の位置を特定する処理と、
特定した前記特定血管の位置に基づいて表示範囲を設定する処理と、
前記表示範囲に対応する範囲内に制限して、前記形態画像に基づき冠動脈形状モデルを作成して行うシミュレーションにより求めた前記冠動脈内の圧力に関する指標値の空間分布に基づいて前記指標値に対応する色を前記冠動脈の対応する位置に割り当てたカラーマップを生成する処理と、
前記カラーマップを表示する処理と
をプロセッサに実行させるプログラム。
【請求項２０】
被検体の冠動脈に関する形態画像のデータを取得する処理と、
前記形態画像のデータに基づいて血管分岐位置を特定する処理と、
特定した前記血管分岐位置に基づいて前記冠動脈における表示範囲を設定する処理と、
前記冠動脈に関して取得された圧力指標値の空間分布をカラーコード化したカラーマップを生成する際に、設定した前記表示範囲に制限して前記カラーマップを生成する処理と、
前記カラーマップを表示する処理と
をプロセッサに実行させるプログラム。
【請求項２１】
被検体の冠動脈に関する形態画像のデータを取得する処理と、
前記形態画像のデータの血管領域の内径に基づいて特定血管の位置を特定する処理と、
特定した前記特定血管の位置に基づいて前記冠動脈における表示範囲を設定する処理と、
前記冠動脈に関して取得された圧力指標値の空間分布をカラーコード化したカラーマップを生成する際に、設定した前記表示範囲に制限して前記カラーマップを生成する処理と、
前記カラーマップを表示する処理と
をプロセッサに実行させるプログラム。
【手続補正３】
【補正対象書類名】明細書
【補正対象項目名】０００１
【補正方法】変更
【補正の内容】
【０００１】
本発明の実施形態は、表示方法、医用画像診断装置、及びプログラムに関する。